(57)【要約】本発明は周囲の空気の殺菌、防黴、ウイルス及び害虫の駆除を行う処理方法を目的とする。この方法は、内部に少なくとも一つの処理手段を置いた透過性の容器を通して、空気（１）を循環させることからなるが、処理剤（２）を空気の機械的濾過を補完するものとして、殺菌、防黴、ウイルス及び害虫の駆除のために用い、容器（４）の内部に均一に行き渡らせることで、容器自体における微生物の生育を防止することを特徴とする。周囲の空気の熱交換や再循環を行う設備や装置、家庭ゴミの保管、車両の居住空間、建物の表面の被覆材への応用が考えられる。
2004524055.tif 000002
【特許請求の範囲】
【請求項１】
空気（１）を透過性の容器（４，６）を通して送り、または循環させることからなり、該容器の内部に少なくとも一つの処理剤（２）が置かれており、処理剤（２）が機械的濾過を補完するものとして、殺菌、防黴、ウイルス及び害虫駆除のために用いられ、容器（４，６）の内部に均一に行き渡らされ、容器それ自体における微生物の生育を防止するものであることを特徴とする、周囲の空気の処理方法。
【請求項２】
処理剤（２）が無機塩結晶、特に塩化ナトリウム（ＮａＣｌ）からなることを特徴とする、請求項１に記載の方法。
【請求項３】
処理剤（２）は天然の成分（１２）、特にクローブのような植物性のものを含むことを特徴とする、請求項１又は２に記載の方法。
【請求項４】
空気を機械的に濾過する、微細な穿孔の施された二枚のシート（８，８’）の間に、殺菌、防黴、ウイルス及び害虫駆除の処理剤（２）の層を含み、該層が前記二枚のシート（８，８’）の間に均一に行き渡らされ、内壁の上に微生物が生育するのを防止することを特徴とする、請求項１から３のいずれか一つに記載の方法を活用するための装置。
【請求項５】
前記容器がケース（４）、ネット、そして二重内壁の伸縮性容器（６）を含む容器グループの、いずれか一つの容器であることを特徴とする、請求項４に記載の装置。
【請求項６】
前記容器を通して、換気装置により空気を循環させる手段（３４）を備えていることを特徴とする、請求項４に記載の装置。
【請求項７】
以下の連続した処理手段の少なくとも一つを備えていることを特徴とする、請求項１から３のいずれか一つに記載の方法を活用するための装置。
・第一の機械的濾過用のスポンジ層（１６）、
・空気中の細菌、ウイルス、害虫及び／または黴の駆除処理のための無機塩結晶層（２）、
・目の細かい機械的フィルター（１８）、
・細分化された植物の層（１２）、
・目の細かい機械的フィルター（１８）、
・照射による空気処理（２４，２５）の小部屋（２２）、
・目の細かい機械的フィルター（１８）、
・活性炭素の層（２６）。
【請求項８】
エアコン、加熱装置、冷却装置、及び空気の換気装置と再循環機器を含む装置群（３８）の熱交換装置への、請求項１から３のいずれか一つに記載の方法の応用。
【請求項９】
家庭廃棄物用の袋（３２）、醗酵性の素材を埋める穴、そして有機廃棄物を化学変化させるコンテナを含む容器群に属する、有機廃棄物の容器への、請求項１から３のいずれか一つに記載の方法の応用。
【請求項１０】
建物の表面を覆う部材への請求項１から３のいずれか一つに記載の方法の応用。
【発明の詳細な説明】
【０００１】
発明の技術分野
本発明は空気処理の分野に属し、周囲の空気中の殺菌、防黴、ウイルス及び害虫の駆除処理を行うための方法、その方法を活用するための装置、そしてそれらの応用を目的とする。
【０００２】
技術の現状
周囲の空気を物理・化学的に処理する方法には様々なものが知られている。一般的な方法では、空気は透過性の容器を通され、該容器の内部には、少なくとも一つの処理手段が設置されている。例えば空気の処理が、浮遊している埃を取り除くための機械的処理である場合、処理手段は蜂巣状の材料または合成繊維でできた、微細な穿孔を施されたシートからなるフィルター、もしくは巣房状の材質の層である。また他の例として、空気の処理が化学的処理である場合、処理剤は炭素などを主成分とする活性剤で構成することで、空気の化学組成を組換え、そして／または、空気中の有毒ガスを吸収する。最後の例として、空気の処理が物理・化学的処理である場合、処理手段は放射光源であり、特に紫外線である。空気は、それぞれの性質による、連続したいくつもの処理手段を通過させることができ、またその場合の容器は、例えば処理する空気の吸気口と、処理した空気の排出口の付いた、同一の集積器の内部に複数の容器を一緒に並置できるということが理解されるだろう。
【０００３】
文書ＳＵ１９９０４７８６０７４は周囲の空気の濾過と殺菌処理を行う装置に関するものであり、塩化ナトリウムと塩化カリウムの結晶を用いる。空気は続いて再濾過され、その後に、ランプによる放射光で滅菌される。
【０００４】
これら既知の装置において、解決すべきまま残っている問題は、機械的に濾過された結果、容器が汚染される危険性である。
【０００５】
発明の目的
本発明の目的は、周囲の空気を処理し、容器の汚染を除去する処理方法と、家庭生活で応用する範囲で、それらを活用する手段を提案することである。
【０００６】
本発明の方法は、機械的な濾過の補足として、殺菌、防黴、ウイルス及び害虫の駆除効果のある処理剤を用い、容器の内部に均一に処理剤を行き渡らせることで構成され、微生物が容器自体で生育することを防止する。
【０００７】
より特定的には、処理剤は無機塩の結晶、特に塩化ナトリウム（ＮａＣｌ）の結晶で構成される。
【０００８】
処理剤はまた、天然の成分、特にクローブのような植物性成分を含んでいてもよい。
【０００９】
無機塩の結晶は、好ましくは天然の、他の処理剤と混合することが好ましいことにも注目すべきであろう。
【００１０】
本発明はまた、周囲の空気を処理する装置に関するものであり、この装置は空気を機械的に濾過する、微細な穿孔を施された二枚のシートと、殺菌、防黴、ウイルス及び害虫の駆除を行う処理剤の一層とを備えており、該層は前記シートの間に均一に行き渡らされ、微生物が内壁上で生育するのを防止する。この配置により、周囲の空気は機械的に処理され、浮遊している粒子が取り除かれ、生物学的な処理で衛生的にされるだけではなく、各個人の健康に益する天然物質、無機塩そして付随的に、特に植物性の物質を媒介伝達するためにも用いられる。
【００１１】
本発明の無機塩結晶の容器は、場合によっては、空気の送風方向または循環方向に沿って、もう一つの容器と並置可能であり、該容器は性質の異なる、機械的及び／または特に物理・化学的な処理手段を備えることで、周囲の空気を総合的に処理する装置を形成できるということも理解されるだろう。
【００１２】
無機塩を通して空気を循環させる態様と、容器の配置とは、本発明の範囲を左右するものではなく、本発明から導き出される個別の応用に付随する。
【００１３】
したがって、無機塩を通過させて空気を循環させる態様の様々な変形例において、空気は人工的、もしくは自然の方法によって送られる。
【００１４】
第一の変形例によると、空気の循環は人工的に、換気装置によって引き起こされる。この変形例は特に、本発明を熱交換装置へ応用した、暖房や冷却、エアコンや空気の再循環装置のような第一グループの範囲に含まれる。
【００１５】
第二の変形例によると、空気の循環は自然に、例えば気体の蒸発や圧力の変化によって引き起こされる。この変形例は特に、本発明を発酵の進む環境からくる空気の純化や、より特定的には有機廃棄物のコンテナに応用した、第二グループの範囲に含まれる。
【００１６】
さらに、容器の様々な変形例、特に前述の無機塩を通して空気を循環させる様々な態様に対応するものによると、容器は支えの上に維持した、透過性の箱の内部に備えることができ、伸縮性のネットを閉じ合わせて袋にしたものの中、もしくは二重内壁付きの伸縮性容器の内壁間に備えることもできる。
【００１７】
容器の第一の変形例によると、特に前述の第一応用例のグループに対応するが、箱または代替のネットは交換可能であるか、または結晶を交換できるように構成されている。一方、箱または代替のネットは、場合に応じて集積器の内部に配置され、この集積器は処理する空気の吸気口と処理した空気の排出口を備えている。容器、箱または代替のネットは、少なくとも一つの容器に付随的に並置され、この容器は前述した様々な種類の機械的、化学的または物理・化学的な処理手段と同様である。
【００１８】
容器の第二の変形例では、前述の第二応用例のグループに対応するが、二重内壁付き容器は、例えば互いに閉じ合わせて一つの袋にし、その袋は特に家庭の廃棄物を入れるために用いられる。さらに例を挙げると、二重内壁付き容器は醗酵性の素材を覆うシートとして案配され、これは特に有機廃棄物を地中に埋めるための穴や化学変化用のコンテナで用いる。
【００１９】
図面の簡単な説明
添付図面を参照しつつ、好ましい実施形態と応用形態についての以下の説明を読むことで、本発明はさらによく理解でき、その詳細も明らかになっていく。
−図１から３はそれぞれ、本発明の方法を活用する、周囲の空気の処理装置の様々な実施例を概略的に示す。
−図４は、それぞれ異なった性質の様々な処理手段を活用する、本発明の方法の個別的な応用形態における、周囲の空気の処理装置を概略的に示す。
−図５から９は、本発明によって提案された、周囲の空気を処理する方法の様々な応用例を示す略図である。
−図１から３において、周囲の空気の殺菌、防黴、及び／または害虫の駆除を行う処理装置は、無機塩結晶を主成分とする処理剤２を活用している。図示された様々な実施例において、結晶２は、４または６のような透過性の容器の内部に均一に行き渡っており、容器自体に微生物が生育することを防止している。
【００２０】
好ましい実施態様の説明
図１と図２において、容器４は合成繊維、または天然素材の微細な穿孔の施された二枚のシート８，８’によって構成され、また枠１０に支えられている。図示されてはいないが、枠１０が好ましくは開口部を備えていることで、二枚のシート８，８’の間に塩基の結晶を導入し、さらには、長期間の使用の後に、その結晶を取り替えることができるようになっていることに注目すべきである。これらの配置は、容器４が処理剤２のカートリッジとして組み立てられ、交換可能とするために、このカートリッジを取り外し可能な方法で集積器に支持されるようにする。
【００２１】
図１では、容器４には塩基の結晶２のみが入る一方、図２では、容器４には塩基の結晶２の層と植物性の原料の処理剤１２の層が入ることに注目すべきである。図示されていない実施形態においては、塩基の結晶２と植物性の原料の処理剤１２は混ぜ合わされる。
【００２２】
図４についてさらに詳細に述べると、総合的空気処理装置は、いくつもの小部屋のある集積器１４を備え、該小部屋のそれぞれに取り外し可能な形で、それぞれに性質及び／または原料の異なった処理剤の容器４が納められている。
【００２３】
そのような装置は、少なくとも次のような連続する処理手段のいずれか一つを備えていることが好ましい。
−汚染された空気１を機械的な、目の粗い第一の濾過にかけるための、天然または合成ウールのようなスポンジ層１６。
−空気中の細菌、ウイルス及び／または黴の駆除処理のための無機塩結晶層２。
−紙または繊維フィルターのような、目の細かい機械的フィルター１８。
−タイム及び／またはクローブのような細分化された、特定の植物の層１２で、無機塩結晶２の殺菌及び／または防黴及び／または害虫駆除作用を補完し、かつ／または処理された空気中に香料を放ち、かつ／または無機塩結晶２がもたらす薬用効果に随伴して、各個人の健康を益する効果を発揮することを目的とする。
−前述したタイプの、目の細かい機械的フィルター１８。
−空気の殺菌処理のための、紫外線照射２４及び／または磁力波２５及び／または音波のような空気処理の小部屋２２。
−前述したタイプの、目の細かい機械的フィルター１８。
−活性炭素及び／または天然ウール及び／または場合によっては有毒ガスを吸収する為の稀土類元素の層２６。
【００２４】
様々な処理手段１６，２，１２，２６はそれぞれ同様の容器に納められるが、これは使用者が望む一つまたは複数の空気処理によって交換できるようにし、また撤去するためである。
【００２５】
図３において容器６は、二重内壁２８と３０が付けられ、微細な穿孔を施された伸縮性シートで構成されるが、それは例えば、図９に示すような家庭廃棄物３２を入れる袋を製作するためである。
【００２６】
図５から図８において、本発明の方法を活用する装置はさらに、換気装置による循環手段３４が付いており、この手段は処理すべき空気を少なくとも一つの処理手段、より特定的には、無機塩２を主成分とする、少なくとも一つの処理剤を通過させる。
【００２７】
図５では、本発明の方法は子供用の乳母車３６に応用されている。車両の居住空間や安全用のヘルメットのような、類似の応用例にも注目すべきである。
【００２８】
図６及び図７において、本発明の方法はエアコンやラジエーター、冷蔵庫（図６）のような送風回路３８を備えた熱交換設備や装置、もしくは空気再循環装置または設備（図７）に応用されている。この後者の応用例においては、装置に汚染された空気の吸気口１だけでなく、付属の外気吸気口５を付けてもよいことに注目すべきである。
【００２９】
図８において、本発明の方法は閉ざされた環境、特に履物棚４０、冷蔵室、冷却装置、乳児用の器具等の衛生に応用されている。
【００３０】
建築の分野でも、図示されてはいないが、本発明を床や壁、天井のような表面を覆う素材に応用し、細菌や茸などの生育を抑制することなどが指摘できるだろう。この応用においては、塩基の結晶の容器を案配し、例えばパネル状または二重内壁付きフィルムの形にすることになる。
【国際公開パンフレット】
2004524055.tif 000003
2004524055.tif 000004
2004524055.tif 000005
2004524055.tif 000006
2004524055.tif 000007
2004524055.tif 000008
2004524055.tif 000009
2004524055.tif 000010
2004524055.tif 000011
2004524055.tif 000012
2004524055.tif 000013
2004524055.tif 000014
2004524055.tif 000015
2004524055.tif 000016
2004524055.tif 000017
2004524055.tif 000018
2004524055.tif 000019
【国際調査報告】
2004524055.tif 000020
2004524055.tif 000021
2004524055.tif 000022
2004524055.tif 000023
2004524055.tif 000024
2004524055.tif 000025